(57)【要約】【課題】放水銃出水制御構造の提供。【解決手段】放水銃出水制御構造の一種で、特にそのバルブ穴が水路に通じ、水路に弾性部品の止水栓が設けられ、それにより水路を塞ぐものを指す。片手で一つの出水制御部品を握って、それを切り換える制御動作により、制御部品の一体化されたカムを変更することができる。そのカムの動作により、止水栓を押して動かして通路になり、水が通過できる。それにより切り替え制御の利便性を満たし、また、確実で効果的な水流制御の効果を達する。【選択図】図１
2006297053.tif 000002
【特許請求の範囲】
【請求項１】
放水銃出水制御構造の一種において、以下のものを含む；  グリップ一つ、該グリップは軸方向の水路が接続されている。水路にはつかみ部品一つが装着され、つかみ部品に弾性部品一つが設置され、弾性部品のもう一方の先端は止水栓一つで支えられ、止水栓はくぼみで閉じられる。止水栓にはエクステンションバーと漏れ止めパッキンが装着されている。グリップには放射状にバルブ穴一つが装着され、当該バルブ穴が水路に通じることで、出水制御部品の凸棒一つが設置できるのである。当該凸棒には漏れ止めパッキンが装着され、またカムが備えられる。そしてカムは止水栓のエクステンションバーに支えられる。出水制御部品は外側に向かって伸び延長部品を装着し、延長部品の先端部に調整つまみ一つが設置される；そしてこれにより制御構造が形作られ、片手で当該グリップを持っている時、親指を調整つまみにはめ入れて、上下操作で水流調節が行えるのであることを特徴とする放水銃出水制御構造。
【請求項２】
請求項１の放水銃出水制御構造において、そのうち、該つかみ部品は一体化の円柱固定用弾性部品の構成であることを特徴とする放水銃出水制御構造。
【請求項３】
請求項１の放水銃出水制御構造において、そのうち、該グリップケースの対応する凸棒及びバルブ穴底部に頂上押さえ隆起部を設けることにより、頂上押さえ隆起部のパッキングによりこの出水制御部品を制御し、回転による緩み・脱落を防ぐものであることを特徴とする放水銃出水制御構造。
【発明の詳細な説明】
【技術分野】
【０００１】
本発明は放水銃出水制御構造を提供するもの一種である。特に片手で水流制御を行うと同時に本体が握れるもの、その出水制御部品の一体化カムが放水銃のバルブ穴に入り込むもの、バルブ穴が水路に通ずるようになっているもの、止水栓が弾性部品と接合して水路を塞ぐもの、調整制御部品がカムを用いて止水栓を動かすものを指す。よって出水制御及びその制御効果の利便性を満たすものである。
【背景技術】
【０００２】
従来の出水制御は一般的にスイッチ一つが必要であり、片手では当該スイッチの手動制御に限られ、もう片方の手で放水銃本体を握って、放水銃の放水作業が順調になされるものである。このような方法では両手を用いなければ作業が行えないため、もう片方の手で他の作業を行う場合は放水銃が使用できなくなってしまうのである。この欠点を改良するため、ある事業者が前案（図９参照）の通り片手で操作する様式を開発した。その利用はグリップにスイッチ一つを取り付けコック一つを回転させ、片手で制御と本体を握る機能を行うというものである。しかしその構造は複雑であることから見ても、実用に向いた発明だとは言えず、なおかつ構造が複雑なため破損しやすく原価も高いというのが難点である。
【発明の開示】
【発明が解決しようとする課題】
【０００３】
本発明の主要目的は、上述の各種欠点を取り除き、放水銃出水制御構造の一種を提供するものである。そのうち、放水銃のバルブ穴が水路に通じ、水路に弾性部品の止水栓が設けられ、それにより水路を塞ぐ。片手で一つの出水制御部品を握って、それを切り換える制御動作により、制御部品の一体化されたカムを変更することができる。そのカムの動作により、止水栓を押して動かして通路になり、水が通過できる。それにより切り替え制御の利便性を満たし、また、確実で効果的な水流制御の効果を達する。
【課題を解決するための手段】
【０００４】
請求項１の発明は、放水銃出水制御構造の一種において、以下のものを含む；グリップ一つ、該グリップは軸方向の水路が接続されている。水路にはつかみ部品一つが装着され、つかみ部品に弾性部品一つが設置され、弾性部品のもう一方の先端は止水栓一つで支えられ、止水栓はくぼみで閉じられる。止水栓にはエクステンションバーと漏れ止めパッキンが装着されている。グリップには放射状にバルブ穴一つが装着され、当該バルブ穴が水路に通じることで、出水制御部品の凸棒一つが設置できるのである。当該凸棒には漏れ止めパッキンが装着され、またカムが備えられる。そしてカムは止水栓のエクステンションバーに支えられる。出水制御部品は外側に向かって伸び延長部品を装着し、延長部品の先端部に調整つまみ一つが設置される；そしてこれにより制御構造が形作られ、片手で当該グリップを持っている時、親指を調整つまみにはめ入れて、上下操作で水流調節が行えるのであることを特徴とする放水銃出水制御構造としている。
請求項２の発明は、請求項１の放水銃出水制御構造において、そのうち、該つかみ部品は一体化の円柱固定用弾性部品の構成であることを特徴とする放水銃出水制御構造としている。
請求項３の発明は、請求項１の放水銃出水制御構造において、そのうち、該グリップケースの対応する凸棒及びバルブ穴底部に頂上押さえ隆起部を設けることにより、頂上押さえ隆起部のパッキングによりこの出水制御部品を制御し、回転による緩み・脱落を防ぐものであることを特徴とする放水銃出水制御構造としている。
【発明の効果】
【０００５】
本発明の主要目的は、上述の各種欠点を取り除き、放水銃出水制御構造の一種を提供するものである。そのうち、放水銃のバルブ穴が水路に通じ、水路に弾性部品の止水栓が設けられ、それにより水路を塞ぐ。片手で一つの出水制御部品を握って、それを切り換える制御動作により、制御部品の一体化されたカムを変更することができる。そのカムの動作により、止水栓を押して動かして通路になり、水が通過できる。それにより切り替え制御の利便性を満たし、また、確実で効果的な水流制御の効果を達する。
【発明を実施するための最良の形態】
【０００６】
本発明は放水銃出水制御構造一種を提供するものである。
【０００７】
本発明の構造設計及び技術を更に詳しく明示するために、ここには特許図面に合わせて説明する：
【０００８】
図１、２に示したのは放水銃出水制御構造一種であり、これは主に放水銃の出水制御構造を手で握ると同時にその親指で制御できる範囲に移したことを示している。この構造には以下のものが含まれる：
グリップ一つ１０。当該グリップ１０の２サイドはそれぞれパイプとノズルに連結している。また、そのグリップ１０には軸方向の水路１１が設けられている。水路１１にはつかみ部品２０一つが装着され、そのつかみ部品２０上の円柱２１では弾性部品３０を固定でき、当該弾性部品３０はばねとなりえるのである。そしてこの弾性部品３０のもう一方の先端は止水栓４０で支えられる。止水栓４０の先端部４１ はくぼみ１２のへり１２１ で閉じられる。そして止水栓４０ 先端部４１にエクステンションバー４２と漏れ止めパッキン４３が装着されている。グリップ１０にバルブ穴５０一つが設けられ、当該バルブ穴５０が水路１１に通じることで、出水制御部品６０ の凸棒６１一つが設置できるのである。 当該凸棒６１には漏れ止めパッキン６２が装着され、またカム６３が備えられる。そしてカム６３は止水栓４０のエクステンションバー４２に支えられる。出水制御部品６０は外側に向かって伸び延長部品６４が設けられ、延長部品６４の先端部に調整つまみ６５一つが設けられる。この制御構造により、手で当該グリップ１０を握っている時、親指は調整つまみ６５にはめ入れられ、上下操作で水流調節が行えるのである。 
【０００９】
図４は、この設備の出水動作の見取り図である。当該グリップ１０内の水路１１がこの止水栓４０により閉じられる。この動作の時、手で当該グリップ１０を握り、その手の親指が出水制御部品６０の調整つまみ６５を押すとき、このカム６３は同時に回転し徐々に厚みを増しながらエクステンションバー４２を圧迫する。そして止水栓４０が後退し、水路１１とくぼみ１２により水流が確保される。水流はそれにより間断なくノズルへと供給され(図５、６、７参照)、放水を順調に行う。それと同時に調整つまみ６５をねじった角度が大きいほど、その出水量が増える。即ち調整つまみ６５を動かした角度により出水量を調整できるのである。
【００１０】
図１、３に示すように、水流がバルブ穴５０を通過する時、この出水制御部品６０凸棒６１には漏れ止めパッキン６２が設けられ、水が凸棒６１からあふれ出るのを防止する。またこの制御構造が出水制御部品６０凸棒６１を組み合わせた後、グリップ１０ケース部の対応する凸棒６１及びバルブ穴５０の底部に頂上押さえ隆起部１３、１４（図５参照）を設けることで、凸棒６１とバルブ穴５０を押さえつけ、出水制御部品６０を制御し、回転による緩み・脱落を防ぐものである。
【００１１】
図１、４に示されるように、当該出水制御部品６０の延長部品６４と調整つまみ６５の切り替え制御プロセスは、ケースの樋（ｃｈｕｔｅ）部分１５先頭部１５１及び樋末端のでっぱり１６頂面１６１の間にある樋１５内部で行われる。
【００１２】
図６に示したのは、比較的良好な実施例の断面図である。そのうち当該ノズルは円柱状ノズル８３で、出水制御部品６０の出水制御により円柱状ノズル８３を経由して必要な水飛沫を噴出すものである。
【００１３】
図７に示したのは、もう一つの比較的良好な実施例の断面図である。ノズルはこのスプレーノズル８４で、このノズル出水制御構造の出水制御部品６０により出水を制御し、スプレーノズル８４を経由してスプレー放水及び広大な面積に及ぶ出水効果をもたらすものである。
【００１４】
図８に示したのは、比較的良好な実施例のさらに別の断面図である。この図面は当該ノズル８１が放水時の水飛沫の形式を調整でき、調整方式は当該ノズル８１の先端部８２をひねって水飛沫の形式を変えるもので、この出水制御部品(６０)の出水制御に合わせ、この放水銃の出水制御を行うものであることを示している。
【図面の簡単な説明】
【００１５】
【図１】本発明の放水銃出水制御構造の立体分解図である。
【図２】本発明の放水銃出水制御構造の断面図である。
【図３】本発明の放水銃出水制御構造の部分断面図である。
【図４】本発明の放水銃出水制御構造の部分動作図である。
【図５】本発明放水銃出水制御構造のバルブ穴部分の部分断面図である。
【図６】本発明の放水銃出水制御構造の比較的良好な一実施例断面図である。
【図７】本発明の放水銃出水制御構造のもう一つの比較的良好な実施例断面図である。
【図８】本発明の放水銃出水制御構造のさらに別の比較的良好な実施例断面図である。
【図９】従来発明の立体分解図である。
【符号の説明】
【００１６】
１０  グリップ
１２  くぼみ
１３  頂上押さえ隆起部
１５  樋
１６  でっぱり
２０  つかみ部品
３０  弾性部品
４１  先端部
４３  漏れ止めパッキン
６０  出水制御部品
６２  漏れ止めパッキン
６４  延長部品
８１  ノズル
８３  ノズル
１１  水路
１２１  へり
１４  頂上押さえ隆起部
１５１  頂部
１６１  頂面
２１  円筒部
４０  止水栓
４２  エクステンションバー
５０  バルブ穴
６１  凸棒
６３  カム
６５  調整つまみ
８２  先端部
８４  ノズル
【図１】
2006297053.tif 000003
【図２】
2006297053.tif 000004
【図３】
2006297053.tif 000005
【図４】
2006297053.tif 000006
【図５】
2006297053.tif 000007
【図６】
2006297053.tif 000008
【図７】
2006297053.tif 000009
【図８】
2006297053.tif 000010
【図９】
2006297053.tif 000011